【手続補正書】
【提出日】平成17年1月19日(2005.1.19)
【手続補正１】
【補正対象書類名】明細書
【補正対象項目名】特許請求の範囲
【補正方法】変更
【補正の内容】
【特許請求の範囲】
【請求項１】
少なくとも定着用樹脂、着色剤及びワックスを含む電子写真用トナーにおいて、上記ワックスは、少なくとも、数平均分子量が６００以下の炭化水素ワックスと、数平均分子量が６００以下で１４０℃における溶融粘度が１５ｍPa・ｓ未満で、且つ結晶化度が９５％未満であるポリエチレンワックスとを含有し、上記炭化水素ワックスと上記ポリエチレンワックスの割合は１：１０〜２：１の範囲にあり、前記トナーの示差走査熱量計により測定されるＤＳＣ曲線の昇温時の吸収熱量曲線の吸熱ピークの最大値が７５℃以下にあり、吸熱におけるオンセット温度が６５℃以下であることを特徴とする電子写真用トナー。
【請求項２】
少なくとも定着用樹脂、着色剤及びワックスを含む電子写真用トナーにおいて、上記ワックスは、少なくとも、数平均分子量が６００以下のアルファオレフィンと、数平均分子量が６００以下で１４０℃における溶融粘度が１５ｍPa・ｓ未満であり、結晶化度が９５％未満であるポリエチレンワックスとを含有し、アルファオレフィンとポリエチレンワックスの割合が１：１０〜２：１の範囲にあり、前記トナーの示差走査熱量計により測定されるＤＳＣ曲線の昇温時の吸収熱量曲線の吸熱ピークの最大値が７５℃以下にあり、吸熱におけるオンセット温度が６５℃以下であることを特徴とする電子写真用トナー。
【請求項３】
少なくとも定着用樹脂、着色剤及びワックスを含む電子写真用トナーにおいて、上記ワックスは、少なくとも、数平均分子量が３００〜６００のパラフィンワックスと、数平均分子量が６００以下で１４０℃における溶融粘度が１０ｍPa・ｓ未満で、且つ結晶化度が９０％未満であるポリエチレンワックスとを含有し、上記パラフィンワックスと上記ポリエチレンワックスの割合は１：１０〜２：１の範囲にあり、前記トナーの示差走査熱量計により測定されるＤＳＣ曲線の昇温時の吸収熱量曲線の吸熱ピークの最大値が７５℃以下にあり、吸熱におけるオンセット温度が５５℃以下であることを特徴とする電子写真用トナー。
【請求項４】
少なくとも定着用樹脂、着色剤及びワックスを含む電子写真用トナーにおいて、上記ワックスは、少なくとも、数平均分子量が６００以下の炭化水素ワックスと、数平均分子量が６００以下で１４０℃における溶融粘度が１５ｍPa・ｓ未満で、且つ結晶化度が９５％未満であるポリエチレンワックスとを含有し、上記炭化水素ワックスと上記ポリエチレンワックスの割合は１：１０〜２：１の範囲にあることを特徴とする電子写真用トナー。
【請求項５】
少なくとも定着用樹脂、着色剤及びワックスを含む電子写真用トナーにおいて、上記ワックスは、少なくとも、数平均分子量が６００以下のアルファオレフィンと、数平均分子量が６００以下で１４０℃における溶融粘度が１５ｍPa・ｓ未満であり、結晶化度が９５％未満であるポリエチレンワックスとを含有し、アルファオレフィンとポリエチレンワックスの割合が１：１０〜２：１の範囲にあることを特徴とする電子写真用トナー。
【請求項６】
少なくとも定着用樹脂、着色剤及びワックスを含む電子写真用トナーにおいて、上記ワックスは、少なくとも、数平均分子量が３００〜６００のパラフィンワックスと、数平均分子量が６００以下で１４０℃における溶融粘度が１０ｍPa・ｓ未満で、且つ結晶化度が９０％未満であるポリエチレンワックスとを含有し、上記パラフィンワックスと上記ポリエチレンワックスの割合は１：１０〜２：１の範囲にあることを特徴とする電子写真用トナー。
【請求項７】
請求項３又は６において、上記パラフィンワックスの数平均分子量が４００〜５５０の範囲にあることを特徴とする電子写真用トナー。
【請求項８】
請求項３又は６において、上記ポリエチレンワックスは、１４０℃における溶融粘度が８ｍＰａ・ｓよりも大きく９ｍＰａ・ｓ未満であり、Ｘ線回折法による結晶化度が８０％以上８５％以下であり、さらに重量平均分子量／数平均分子量の比率（Ｍｗ／Ｍｎ）が１．５を超えることを特徴とする電子写真用トナー。
【請求項９】
請求項１乃至６のいずれかおいて、上記ワックスの含有量は定着樹脂１００重量部に対し０．１〜２０重量部の範囲にあることを特徴とする電子写真用トナー。
【請求項１０】
請求項１又は４において、上記炭化水素ワックスは、数平均分子量が２５０〜４５０の範囲にあることを特徴とする電子写真用トナー。
【請求項１１】
請求項１又は４において、上記ポリエチレンワックスは、１４０℃における溶融粘度が１０ｍＰａ・ｓ未満であり、Ｘ線回折法による結晶化度が９０％以下であり、さらに重量平均分子量／数平均分子量の比率（Ｍｗ／Ｍｎ）が１．５を超えることを特徴とする電子写真用トナー。
【請求項１２】
請求項１乃至６のいずれかにおいて、上記定着用樹脂は、ゲルパーミエーションクロマトグラフィー（ＧＰＣ）測定で分子量が５０万を超える高分子量重合体成分と分子量が2万以下の低分子量成分を２０：８０〜６０：４０の範囲になるような樹脂とすることを特徴とする電子写真用トナー。
【請求項１３】
請求項１２において、定着用樹脂に対して0.1〜10wt％の帯電制御剤を添加したことを特徴とする電子写真用トナー。
【請求項１４】
請求項１乃至６のいずれかにおいて、トナーに対して0.01〜5wt％の範囲でシリカ微粉末が外部添加されていることを特徴とする電子写真用トナー。
【請求項１５】
請求項１乃至６のいずれかにおいて、平均粒径が2μm以下であって、定着用樹脂に対し0.1〜200wt％の磁性材料を含有していることを特徴とする電子写真用トナー。
【請求項１６】
請求項１乃至６のいずれかにおいて、上記定着用樹脂に対し0.2〜15wt％の着色剤が添加されていることを特徴とする添加する電子写真用トナー。
【請求項１７】
静電荷保持部材上に形成された静電荷潜像を顕像化し、顕像化したトナー像を記録媒体上に転写し、記録媒体上に転写したトナー像を定着して記録画像を得る画像形成装置において、請求項１乃至６のいずれかに記載された電子写真用トナーを用いたことを特徴とする画像形成装置。
【請求項１８】
少なくとも複数の現像用磁気ロールを使用する現像装置であって、現像用磁気ロールが静電荷保持部材の進行方向と順方向に回転する現像用磁気ロールと逆方向に回転する現像用磁気ロールを有するセンターフィード方式の現像装置によって静電荷潜像を顕像化し、顕像化したトナー像を記録媒体上に転写し、記録媒体上に転写したトナー像を定着して記録画像を得る画像形成装置において、請求項１乃至６のいずれかに記載された電子写真用トナーを用いたことを特徴とする画像形成装置。
【手続補正２】
【補正対象書類名】明細書
【補正対象項目名】００３０
【補正方法】変更
【補正の内容】
【００３０】
本発明の電子写真用トナーにおいて使用される炭化水素ワックスは数平均分子量が６００以下であり、求める特性に応じて使い分けることができ、数平均分子量２５０〜４５０の範囲にあるものが好ましい。例えばパラフィンワックス、オレフィンワックスが使用できる。
【手続補正３】
【補正対象書類名】明細書
【補正対象項目名】００３１
【補正方法】変更
【補正の内容】
【００３１】
また本発明に使用されるポリエチレンワックスは、その機能に応じて使い分けられ、数平均分子量が６００以下であり、１４０℃における溶融粘度が１５ｍPa・ｓ未満（好ましくは１３ｍＰａ・ｓ未満、特に好ましくは１０ｍＰａ・ｓ未満）であり、Ｘ線回折法による結晶化度が９５％未満（好ましくは９３％以下、特に好ましくは９０％以下）であり、さらに好ましくは重量平均分子量／数平均分子量の比率（Ｍｗ／Ｍｎ）が１．５を超えるポリエチレンワックスが好ましい。 ワックスの含有量は定着樹脂１００重量部に対し０．１〜２０重量部の範囲で使用できる。
【手続補正４】
【補正対象書類名】明細書
【補正対象項目名】００４０
【補正方法】変更
【補正の内容】
【００４０】
本発明の電子写真用トナーにおいては、使用されるパラフィンワックスが減圧蒸留留出油から分離精製されたワックスで数平均分子量が３００〜６００のものを用い求める特性に応じて使い分けることができ、数平均分子量４００〜５５０の範囲にあるものが好ましい。
【手続補正５】
【補正対象書類名】明細書
【補正対象項目名】００４１
【補正方法】変更
【補正の内容】
【００４１】
また本発明に使用されるポリエチレンワックスは、その機能に応じて使い分けられ、数平均分子量が６００以下であり、１４０℃における溶融粘度が１０ｍPa・ｓ未満かつ結晶化度が９０％未満で溶融粘度が１０ｍPa・ｓ未満（好ましくは９ｍＰａ・ｓ未満、特に好ましくは８ｍＰａ・ｓよりも大きく９ｍＰａ・ｓ未満）であり、Ｘ線回折法による結晶化度が９０％未満（好ましくは７５％よりも大きく９０％未満、特に好ましくは８０％以上８５％以下）であり、さらに好ましくは重量平均分子量／数平均分子量の比率（Ｍｗ／Ｍｎ）が１．５を超えるポリエチレンワックスが好ましい。また、ワックスの含有量は定着樹脂１００重量部に対し０．１〜２０重量部の範囲で使用できる。